(57)【特許請求の範囲】
【請求項１】
伸縮自在な門扉を吊元柱と戸当り柱との間に配置し、吊元柱と戸当り柱との間の開口部を伸縮によって開閉するとともに、上記門扉を、それぞれ枠体状に形成した両端の框とその間に配置された複数の縦桟をパンタグラフ状に組んだ複数のリンクによって連結した構成とし、キャスターによって伸縮移動する伸縮門扉において、上記框又は桟の側面下部には、該側面にネジ止め固定される固定部と、固定部から側方に張り出す張り出し部と、張り出し部の先端に設けられた筒状の雌ネジ部とを備えた受け金具を取り付け、上記雌ネジ部には上記キャスターのシャフトを螺着させるとともに、上記受け金具のみに合成樹脂製のキャップを上方から被せ、このキャップの内側上部には上記雌ネジ部に圧入される突起を一体に形成したことを特徴とする伸縮門扉におけるキャスター受け金具キャップ構造。
【請求項２】
前記框又は桟の側面と固定部の両側端との間には前記キャップに形成された開口部の側縁に係合するスライド溝が形成された請求項１記載の伸縮門扉におけるキャスター受け金具キャップ構造。
【発明の詳細な説明】
【０００１】
【発明の属する技術分野】
本発明は、伸縮自在な門扉を吊元柱と戸当り柱との間に配置し、伸縮によって開閉する伸縮門扉において、伸縮の際に門扉を支持するキャスターの受け金具のキャップ構造に関する。
【０００２】
【従来技術】
この種の伸縮門扉は、伸縮によって門柱間の開口部を開閉するものであるが、吊元柱だけで門扉自体の重量を支え切れないので、門扉の下部にはキャスターが取り付けられ、キャスターで走行しながら伸縮するように構成されている。キャスターには車輪の回転軸のほかシャフトが配置されており、シャフトは門扉の框又は桟に設けられた受け金具に螺着固定されている。
【０００３】
【発明が解決しようとする課題】
しかしながら、このような取付構造では外観上受け金具を塗装しておく必要がある。塗装に代え、受け金具にキャップを取り付けて受け金具を覆い隠してしまう方法も考えられるが、その場合はキャップをネジ等で固定する作業が面倒であった。
【０００４】
本発明は上記欠点を解消し、キャスターの受け金具を簡単に覆い隠すことができる伸縮門扉におけるキャスター受け金具のキャップ構造を提供することをその課題とする。
【０００５】
【課題を解決するための手段】
前記課題を解決するため、本発明に係る伸縮門扉におけるキャスター受け金具のキャップ構造は、伸縮自在な門扉を吊元柱と戸当り柱との間に配置し、吊元柱と戸当り柱との間の開口部を伸縮によって開閉するとともに、上記門扉を、それぞれ枠体状に形成した両端の框とその間に配置された複数の縦桟をパンタグラフ状に組んだ複数のリンクによって連結した構成とし、キャスターによって伸縮移動する伸縮門扉において、上記框又は桟の側面下部には、該側面にネジ止め固定される固定部と、固定部から側方に張り出す張り出し部と、張り出し部の先端に設けられた筒状の雌ネジ部とを備えた受け金具を取り付け、上記雌ネジ部には上記キャスターのシャフトを螺着させるとともに、上記受け金具のみに合成樹脂製のキャップを上方から被せ、このキャップの内側上部には上記雌ネジ部に圧入される突起を一体に形成したことを特徴とする。
【０００６】
【発明の実施の形態】
図１は本発明に係る伸縮門扉を示すもので、伸縮自在な門扉１を吊元柱２と戸当り柱３との間に配置し、図２に示すように吊元柱２と戸当り柱３との間の開口部を門扉１を伸縮させて開閉するとともに、上記門扉１の一端に設けられた吊元框４を吊元柱２のまわりに旋回（水平方向に回転）させて開閉できるように連結したものである。
【０００７】
上記門扉１は、両端の吊元框４と戸当り框５との間に複数の縦桟６を配し、これらの框と縦桟６を細長枠状に形成するとともに、内側の開口部にパンタグラフ状に組んだ複数のリンク７を配置し、方向の異なるリンク７の交わり部を回動軸８によって連結し、回動軸８は上下の列に対応するものを１列おきに、その両端部を図３に示すように上記吊元框４と戸当り框５と縦桟６の長手方向に沿って形成された案内溝９にスライド自在に係合させたものである。ただし、中央の回動軸８ａは吊元框４と戸当り框５と縦桟６に固定され、スライドしないように構成されている。これにより、門扉１は、上記固定軸８ａを除く回動軸８が吊元框４と戸当り框５と縦桟６の案内溝９に沿って上下方向にスライドしながら伸縮する。
【０００８】
なお、戸当り框５にはハンドル１０と連動する錠１１ａが設けられ、戸当り柱３には、上記錠１１ａに係止するための杆状の錠受け１１ｂが設けられている。
【０００９】
次に、門扉１の戸当り框５と中間の縦桟６の下部には左右１対のキャスター１２が取り付けられ、門扉１はキャスター１２に支持された状態で伸縮移動するように構成されている。
【００１０】
すなわち、キャスター１２には車輪１３の回転軸を偏心した位置で支持するシャフト１５が設けられ、シャフト１５には雄ネジが切ってある。
【００１１】
これに対し、図４及び図５に示されるように、上記戸当り框５と縦桟６の側面下部にはキャスター１２の受け金具１６が固定されている。受け金具１６は、上記側面にネジ止め固定される固定部１６ａと、固定部１６ａから側方に張り出す張り出し部１６ｂと、張り出し部１６ｂの先端に設けられた筒状の雌ネジ部１６ｃとから構成されている。雌ネジ部１６ｃは上記シャフト１５の長さよりも長い寸法に設定されている。なお、受け金具１６の固定部１６ａの両側端と戸当り框５と縦桟６の側面との間にはスライド溝１７が形成されている。そして、キャスター１２のシャフト１５は受け金具１６の雌ネジ部１６ｃに螺着され、螺合の程度によって高さを調整している。
【００１２】
上記受け金具１６は図に示した断面のアルミニウム等の長尺押出型材を所定長さに切断し、２つの受け金具１６は上下を変えることにより左右対称になるから、それぞれを戸当り框５及び縦桟６に固定すればよい。
【００１３】
上記受け金具１６には合成樹脂製のキャップ１８が取り付けられている。キャップ１８は図６及び図７に示されるように、下方と一側方が開放された箱状に形成され、断面略Ｕ字形の側板１９と、上板２５と、対向する一方の側板１９から内側に直角に配置された突片２０とから構成されている。また、側板１９の弯曲部２１と突片２０との間の空間は受け金具１６の筒状の雌ネジ部１６ｃが挿入される程度に形成され、突片２０の端部と他方の側板１９との間の間隔は受け金具１６の張り出し部１６ｂの肉厚よりもやや大きく形成されている。また、側板１９の端部は一方が他方に対して長くなってずれるように形成され、さらに上記端部間の開口部２４の両側には小さな幅の突縁２２が形成されている。この突縁２２は上記受け金具１６のスライド溝１７に係合できる程度の寸法に設定されている。また、受け金具１６の雌ネジ部１６ｃが挿入される部分に対応する上板２５の裏側には、十字形の突起２３が下方に突出形成されている。突起２３は上記雌ネジ部１６ｃに圧入される程度の大きさで、先端はやや小さくなっている。
【００１４】
上記構成において、受け金具１６にキャップ１８を取り付けるときは、図４に示すように、その下方の開放部を受け金具１６の上に被せるようにし、側板１９の弯曲部２１と突片２０との間の空間に筒状雌ネジ部１６ｃを対応させて下方にスライドさせる。このとき、図５に示すように、側部の開口部２４の両側突縁２２を受け金具１６の固定部１６ａの両側スライド溝１７に係合させると同時に、キャップ１８の内側突片２０と側板１９との間に受け金具１６の張り出し部１６ｂを挟むようにして上からキャップ１８をスライドさせる。被せ終りに近づくとキャップ１８の内側の突起２３と受け金具１６の雌ネジ部１６ｃが係合するので、そのままキャップ１８を強く押し付けて上記突起２３を雌ネジ部１６ｃに圧入すればよい。キャスター１２のシャフト１５を雌ネジ部１６ｃに深く螺合させても、その上部には寸法上まだ余裕があるから、そこに突起２３を入り込ませることができる。
【００１５】
上述のキャスター１２受け金具１６のキャップ構造によれば、キャップ１８は受け金具１６の上からスライドし、突起２３を受け金具１６の雌ネジ部１６ｃに圧入するだけで固定することができるので、取付作業が簡単である。
【００１６】
また、キャップ１８によりキャスター１２の受け金具１６を覆い隠すことができるので、受け金具１６に塗装を施す必要がない。
【００１７】
さらに、受け金具１６は長尺の押出型材を切断して得られる構造であるから、戸当り框５又は縦桟６の左右に対称的に取り付けることができ、低コストで製造することができる。
【００１８】
【発明の効果】
請求項１に係る発明によれば、受け金具の雌ネジ部にはキャスターのシャフトが螺着され、上記受け金具には合成樹脂製のキャップ１を上方から被せ、このキャップの内側上部には上記雌ネジ部に圧入される突起が形成されているから、受け金具にキャップを取り付けるときは、キャップを強く押し付けて上記突起を雌ネジ部に圧入すればよい。このように、突起を受け金具の雌ネジ部に圧入するだけで固定することができるので、取付作業が簡単である。
【００１９】
請求項２に係る発明によれば、框又は桟の側面と固定部の両側端との間にはキャップに形成された開口部の側縁に係合するスライド溝が形成されているので、キャップの下方の開放部を受け金具の上に被せるようにし、キャップの側部の開口部の両側突縁を受け金具の固定部の両側スライド溝に係合させて上からキャップをスライドさせる。キャップの突縁はスライド溝に係合するので、キャップの取付け強度はより大きくなる。
【図面の簡単な説明】
【図１】伸縮門扉１の斜視図
【図２】門扉の開閉状態説明図
【図３】框と縦桟の横断面図
【図４】キャスター部分の斜視図
【図５】キャップ取付状態の横断面図
【図６】キャップの斜視図
【図７】キャップの正面図
【符号の説明】
１２  キャスター
１５  シャフト
１６ａ  固定部
１６ｂ  張り出し部
１６ｃ  雌ネジ部
１８  キャップ
２３  突起
【図１】
0003577251.tif 000002
【図２】
0003577251.tif 000003
【図３】
0003577251.tif 000004
【図４】
0003577251.tif 000005
【図５】
0003577251.tif 000006
【図６】
0003577251.tif 000007
【図７】
0003577251.tif 000008